(57)【要約】  【課題】ケースを透明材料により構成した商品陳列用具において、底部が比較的柔らかい商品を滑りやすくしつつ、ケースの材質を自由に選定できるようにする。  【解決手段】複数の商品Ｐを列状に配置可能な陳列空間Ｓを形成するケース２と、このケース２に取り付けられ前記商品Ｐを配列方向にスライド可能に支持する一対の線状をなすレール部材３とを具備してなる商品陳列用具１において、前記ケース２を、透明材料により作られたものとし、前記レール部材３を、前記ケース２とは別体をなし、前記ケース２に比べて滑りやすい材料により作られたものとする。【選択図】図１
2019017481.tif 000002
【特許請求の範囲】
【請求項１】
複数の商品を列状に配置可能な陳列空間を形成するケースと、このケースに取り付けられ前記商品を配列方向にスライド可能に支持する一対の線状をなすレール部材とを具備してなるものであって、
前記ケースが、透明材料により作られたものであり、
前記レール部材が、前記ケースとは別体をなし、前記ケースに比べて滑りやすい材料により作られたものである商品陳列用具。
【請求項２】
前記ケースが、前記陳列空間の下面を塞ぐ底壁と、前記陳列空間の側面を塞ぐ側壁とを備えたものであり、前記底壁上に前記レール部材が取り付けられている請求項１記載の商品陳列用具。
【請求項３】
前記側壁の少なくとも前記陳列空間に臨む面に、商品との摩擦を低減させるための表面処理がなされている請求項２記載の商品陳列用具。
【請求項４】
前記レール部材が、前記側壁に対して平行に配されたものであり、前記底壁の上面に接する底面から商品に接する頂面に向かって漸次巾狭となる形態をなしている請求項２又は３記載の商品陳列用具。
【請求項５】
前記ケースが、前記陳列空間の下面を塞ぐ底壁と、前記陳列空間の側面を塞ぐ側壁と、前記陳列空間の前面を塞ぐ前壁とを備えたものであり、前記陳列空間内に前記商品を前記前壁に向かう方向に重力を利用して付勢するためのスライドサポーターが配されている請求項１記載の商品陳列用具。
【請求項６】
前記底壁が、前記スライドサポーターを案内するための案内溝を備えたものである請求項５記載の商品陳列用具。
【請求項７】
前記ケースが、前記底壁の一側縁にのみ前記側壁を立設したものであり、前記底壁の一側縁に同一構造をなす他の商品陳列用具の他側縁を連結するための第１の連結部を有するとともに、前記底壁の他側縁に同一構造をなす他の商品陳列用具の一側縁を連結するための第２の連結部を有している請求項２、３、４、５又は６記載の商品陳列用具。
【発明の詳細な説明】
【技術分野】
【０００１】
本発明は、商品陳列棚の棚板上で使用される商品陳列用具に関する。
【背景技術】
【０００２】
従来、この種の商品陳列用具として、前端側が後端側よりも低くなるように傾斜させた底壁と、この底壁の前縁部に立設された前壁と、この前壁に直交させて前記底壁上に立設された側壁とを具備してなり、前記底壁上に複数の商品、例えば、缶ビールやペットボトル等を前後に列状をなして配列させるようにしたものが知られている。すなわち、このものは、前壁に当接している先頭の商品を取り出すと、２つ目以降の商品が前壁に衝突する位置まで前記底壁上を滑って移動するようにしてあり、商品が常に取り易い位置にまで自動的に滑落移動するようになっている（例えば、特許文献１を参照）。
【０００３】
このような構成のものは、硬質の商品には適しているが、例えば、おにぎり等のように底部が比較的柔らかい商品では、底壁上を円滑に滑らせるのが難しいという問題がある。
【０００４】
このような不具合を解消するには、例えば、底壁の上面に商品との接触面積を少なくするためのレールを形成しておき、このレール上に商品を滑動可能に載置するようにしたものが考えられる。この場合、前記レールは、出来るだけ滑り易い材料により構成することが望ましいが、滑り易いという特性と、経済性や成形容易性等の他の特性とは両立させることが困難であり、材料の選定が難しい。
【０００５】
特に、意匠性を重視した透明棚板等の上に設置して使用することも想定される商品陳列用具は、それ自体も透明性を備えていることが望ましく、商品の滑り易さと両立させることが容易ではない。
【先行技術文献】
【特許文献】
【０００６】
【特許文献１】特願２００７−２４４５５２号公報
【発明の概要】
【発明が解決しようとする課題】
【０００７】
本発明は、このような事情に着目してなされたもので、前記底壁を有するケースと商品を滑らせるためのレール部材とを別体とし、前記ケースを透明材料により構成するとともに、前記レール部材を目立ち難い線状のものにした上で、そのレール部材を透明性に縛られない滑り易い材料により構成することによって、前述した課題を解消しようとするものである。
【課題を解決するための手段】
【０００８】
請求項１記載の発明に係る商品陳列用具は、複数の商品を列状に配置可能な陳列空間を形成するケースと、このケースに取り付けられ前記商品を配列方向にスライド可能に支持する一対の線状をなすレール部材とを具備してなるものであって、前記ケースが、透明材料により作られたものであり、前記レール部材が、前記ケースとは別体をなし、前記ケースに比べて滑りやすい材料により作られたものである。
【０００９】
請求項２記載の発明に係る商品陳列用具は、請求項１記載の構成のものにおいて、前記ケースが、前記陳列空間の下面を塞ぐ底壁と、前記陳列空間の側面を塞ぐ側壁とを備えたものであり、前記底壁上に前記レール部材が取り付けられているものである。
【００１０】
請求項３記載の発明に係る商品陳列用具は、請求項２記載の構成のものにおいて、前記側壁の少なくとも前記陳列空間に臨む面に、商品との摩擦を低減させるための表面処理がなされているものである。
【００１１】
請求項４記載の発明に係る商品陳列用具は、請求項２又は３記載の構成のものにおいて、前記レール部材が、前記側壁に対して平行に配されたものであり、前記底壁の上面に接する底面から商品に接する頂面に向かって漸次巾狭となる形態をなしているものである。
【００１２】
請求項５記載の発明に係る商品陳列用具は、請求項１記載の構成のものにおいて、前記ケースが、前記陳列空間の下面を塞ぐ底壁と、前記陳列空間の側面を塞ぐ側壁と、前記陳列空間の前面を塞ぐ前壁とを備えたものであり、前記陳列空間内に前記商品を前記前壁に向かう方向に重力を利用して付勢するためのスライドサポーターが配されているものである。
【００１３】
請求項６記載の発明に係る商品陳列用具は、請求項５記載の構成のものにおいて、前記底壁が、前記スライドサポーターを案内するための案内溝を備えたものである。
【００１４】
請求項７記載の発明に係る商品陳列用具は、請求項２、３、４、５又は６記載の構成のものにおいて、前記ケースが、前記底壁の一側縁にのみ前記側壁を立設したものであり、前記底壁の一側縁に同一構造をなす他の商品陳列用具の他側縁を連結するための第１の連結部を有するとともに、前記底壁の他側縁に同一構造をなす他の商品陳列用具の一側縁を連結するための第２の連結部を有しているものである。
【発明の効果】
【００１５】
本発明によれば、前記底壁を有するケースと商品を滑らせるためのレール部材とを別体とし、前記ケースを透明材料により構成するとともに、前記レール部材を目立ち難い線状のものにした上で、そのレール部材を透明性に縛られない滑り易い材料により構成しているので、レール部材による滑動性能を最大限に発揮させた上でケースの材質を自由に選定することができる。
【００１６】
特に、透明棚板の上に本発明に係る陳列用具を配置した場合、前記透明な棚板の特性を損ねることなく商品を陳列できる。
【図面の簡単な説明】
【００１７】
【図１】本発明の一実施形態に係る商品陳列用具を示す側面図。
【図２】図１における概略的なＸ矢視図。
【図３】図１におけるＡ−Ａ断面図。
【図４】同実施形態に係る商品陳列用具のケースを示す正面図。
【図５】同実施形態に係る商品陳列用具のケースを示す平面図。
【図６】同実施形態に係る商品陳列用具のケースを示す底面図。
【図７】同実施形態に係る商品陳列用具のケースを示す左側面図。
【図８】同実施形態に係る商品陳列用具のケースを示す右側面図。
【図９】同実施形態に係る商品陳列用具を斜め後ろ上方から見た斜視図。
【図１０】同実施形態に係る商品陳列用具を斜め後ろ下方から見た斜視図。
【図１１】同実施形態に係る商品陳列用具を示す分解斜視図。
【図１２】同実施形態に係る商品陳列用具の連結態様を示す斜視図。
【図１３】同実施形態に係るレール部材の断面形状を示す図。
【図１４】本発明の他の実施形態に係るレール部材の断面形状を示す概略図。
【図１５】本発明の他の実施形態に係る商品陳列用具を示す側面図。
【図１６】図１５におけるＢ−Ｂ断面図。
【図１７】本発明の他の実施形態に係る商品陳列用具を示す側面図。
【図１８】図１７における要部のＣ−Ｃ断面図。
【図１９】同実施形態に係るスライドサポーターを示す底面図。
【図２０】本発明の他の実施形態に係る商品陳列用具を示す側面図。
【図２１】同実施形態に係るスライドサポーターを示す底面図。
【図２２】本発明の他の実施形態に係る商品陳列用具を示す側面図。
【発明を実施するための形態】
【００１８】
本発明の一実施形態を、図1〜図１３を参照しつつ以下に述べる。
【００１９】
本実施形態は、本発明をおにぎり用の商品陳列用具１に適用した場合のものである。すなわち、この実施形態では、透明棚板Ｔ上に前記商品陳列用具１を複数台横方向に連結した状態で配している。
【００２０】
透明棚板Ｔは、例えばガラス製のもので、前縁側が後縁側よりも低くなるように傾斜させた状態で既存の商品陳列棚の一部をなしている。この商品陳列棚は、通常のものであるため、詳細な説明は省略する。本実施形態における透明棚板Ｔの水平面に対する傾斜角度は、例えば８度程度に設定されている。
【００２１】
前記商品陳列用具１は、図１〜図３に示すように、複数の商品であるおにぎりＰを列状に配置可能な陳列空間Ｓを形成するケース２と、このケース２に取り付けられ前記おにぎりＰを配列方向にスライド可能に支持する一対の線状をなすレール部材３とを具備してなり、前記陳列空間Ｓ内には、重力を利用して前記おにぎりＰを前方に付勢するためのスライドサポーター４が配されている。
【００２２】
前記ケース２は、透明材料、例えばポリカーボネート等により作られたもので、図１〜図１２に示すように、前記陳列空間Ｓの下面を塞ぐ底壁１１と、前記陳列空間Ｓの側面を塞ぐ側壁１３と、前記陳列空間Ｓの前面を塞ぐ前壁１５とを備えたものである。
【００２３】
前記底壁１１は、図１〜図１２に示すように、前記陳列空間Ｓに臨む平板状の底壁本体１７と、この底壁本体１７の両側縁部下面からそれぞれ下方に向けて突設した側リブ１９、２１と、前記底壁本体１７の前縁部下面から下方に向けて突設した前リブ２３と、前記底壁本体１７の後縁部下面から下方に向けて突設した後リブ２５と、前記底壁本体１７の幅方向中央部の下面から下方に向けて突設した一対の平行な中間リブ２７とを備えたものであり、前記中間リブ２７の前端は、前リブ２３の内面に一体化させてあるとともに、前記中間リブ２７の後端は、後リブ２５の内面に一体化させてある。また、この実施形態における底壁１１には、レール部材３を取り付けるためのレール取付部２９と、前記スライドサポーター４を前後方向に移動可能に案内するための案内溝３１と、各種の棚板にケース２を位置決め保持させる際に用いられる前位置決め孔３３及び後位置決め孔３５とが設けられている。前記底壁本体１７は、前記中間リブ２７が配されている中央領域Ｒ１と、この中央領域Ｒ１を挟んだ両側に設定されたレール取付領域Ｒ２とを備えたものであり、前記レール取付部２９は、前記レール取付領域Ｒ２にそれぞれ複数、具体的には３個ずつ設けられている。各レール取付部２９は、底壁本体１７の下面に突設されたボス状のもので、その中心孔２９ａは、底壁本体１７の上面に開口させてある。前記案内溝３１は、前記中央領域Ｒ１と前記各レール取付領域Ｒ２との間にそれぞれ形成されたもので、底壁本体１７を貫通するスリット状をなしている。なお、各案内溝３１の左右方向の幅寸法は、前記中央領域Ｒ１と前記レール取付領域Ｒ２との離間寸法よりも小さく設定されており、各案内溝３１は、前記中央領域Ｒ１の側縁に隣接させてある。また、各案内溝３１の例えば後端部には、後述するスライドサポーター４を装着するための幅広部３１ａが形成されている。
【００２４】
前記側壁１３は、前記底壁１１の一側縁にのみ立設されたものである。すなわち、この側壁１３は、図１〜図５及び図７〜図１１に示すように、例えば前記底壁１１の正面視右側の側縁部上面から上方に突出させた平板状のものであり、その両面１３ａ、１３ｂには商品との摩擦を低減させるための表面処理、具体的にはシボ加工等がなされている。なお、この側壁１３は、前記底壁１１の側リブ１９と一体をなして連続している。
【００２５】
前記前壁１５は、図１、図４、図５及び図７〜図１１に示すように、前記底壁１１の前縁部上面から上方に突出させた平板状のものであり、その一側縁は前記側壁１３と一体に連続している。なお、この前壁１５は、前記底壁１１の前リブ２３と一体をなして連続している。
【００２６】
また、このケース２は、前記底壁１１の一側縁に同一構造をなす他の商品陳列用具１のケース２の他側縁を連結するための第１の連結部３７を有するとともに、前記底壁１１の他側縁に同一構造をなす他の商品陳列用具１のケース２の一側縁を連結するための第２の連結部３９を有している。具体的には、前記第１の連結部３７は、図３、図６、図８及び図１０に示すように、前記側壁１３が設けられた側すなわち正面視右側の側リブ１９の下端縁を切り欠いて形成した係合凹部であり、この実施形態では前後２か所に形成されている。前記第２の連結部３９は、図１、図３〜図７、図９及び図１１に示すように、前記側壁１３が設けられた側と反対側すなわち正面視左側の側リブ２１から外側方に突出して設けられている。この第２の連結部３９は、外方に水平に延出する水平部分３９ａと、この水平部分３９ａの先端部上縁から上方に延出した垂直部分３９ｂとを備えたものであり、前記水平部分３９ａは前記第１の連結部３７に対応する断面形状を有するものであり、前記垂直部分３９ｂと前記側リブ２１の外面との間の寸法が前記側リブ１９の厚み寸法に対応させてある。
【００２７】
前記レール部材３は、前記ケース２とは別体をなす線状のもので、前記ケース２に比べて滑りやすい材料、例えばポリアセタール等により作られたものである。このレール部材３は、図５及び図６に示すように、前記ケース２の前記底壁１１上における各レール取付領域Ｒ２にそれぞれ取り付けられている。すなわち、これらのレール部材３は、前記側壁１３に対してそれぞれ平行に配されたものである。このレール部材３は、図３及び図１３に示すように、前記底壁１１の上面１１ａに接する底面３ａから商品であるおにぎりＰに接する頂面３ｂに向かって漸次巾狭となる形態をなしている。具体的には、その断面形状が二等辺三角形の上端を丸めた形状である。このレール部材３の底面３ａにおける前端近傍部、後端近傍部及び中央部の計３か所からは、図１、図３、図４、図６〜図８及び図１１に示すように、前記ケース２に取り付けるための取付突起４１を下方に向けて突設させてある。そして、この取付突起４１を、前記レール取付領域Ｒ２の前記レール取付部２９における中心孔２９ａに圧入することにより、前記各レール部材３が前記ケース２の底壁１１のレール取付領域Ｒ２に取り付けられるようになっている。
【００２８】
前記スライドサポーター４は、図１、図３及び図９〜図１１に示すように、前端に係止壁４９を有した押し板４３と、この押し板４３の左右方向中央部における下面に設けられたホイールベース４５と、このホイールベース４５に軸支された前後対をなすホイール４７とを備えたもので、前記ホイール４７が前記ケース２の中央領域Ｒ１上を転動することにより前記押し板４３が前後方向に移動し得るようになっている。この実施形態における押し板４３は、例えばＰＥＴ樹脂により作られたもので、例えばその上におにぎりＰを２個搭載することができる寸法に設定されている。前記ホイールベース４５は、前記押し板４３の下面に例えばナイロン製のプッシュリベット５５を用いて取り付けられた天壁５１と、この天壁５１の両側縁から下方に延出させた対をなす垂下壁５３とを備えたチャネル状のものであり、前記両垂下壁５３は、前記両案内溝３１上に位置し得るように寸法設定がなされている。そして、この両垂下壁５３の前後方向中間部分には、当該スライドサポーター４が前記ケース２から離脱するのを防止するための離脱防止用突起５７が設けられている。この離脱防止用突起５７は、前記ホイールベース４５の垂下壁５３から延出されその下端側が前記案内溝３１を貫通する垂下延出部分５７ａと、この垂下延出部分５７ａの貫通端部から水平に伸び前記底壁本体１７の下面に対向する水平鍔部分５７ｂとを備えたものである。前記水平鍔部分５７ｂは、前記案内溝３１の幅広部３１ａ以外の部分は通過し得ない形態をなしている。なお、このホイールベース４５及び前記ホイール４７は、例えばポリアセタール等により作られたものである。
【００２９】
ここで、図１は本実施形態に係る商品陳列用具１を透明棚板Ｔ上に複数個連結させて配置した状態を示す概略側面図であり商品であるおにぎりＰは想像線で示してある。なお、複数枚連結した商品陳列用具１を透明棚板Ｔ上に配置しただけでは図１に示すように左端の商品陳列用具１の陳列空間Ｓが左方に開放された状態となるが、この左端の商品陳列用具１の左側縁には格別な追加側壁５９が装着される。図１では、この追加側壁５９は省略してある。図２は、図１における概略的なＸ矢視図であり、ケース２の前壁１５やスライドサポーター４等は図示を省略してある。また、前記追加側壁５９を想像線で示してある。図３は、図１におけるＡ−Ａ線に沿った断面図であり、商品であるおにぎりＰ及び前記透明棚板Ｔは想像線で示している。また、同図においては、特定の商品陳列用具１のみを実線で示し、左右に連結されている他の商品陳列用具１は想像線で示してある。図４は本実施形態に係る特定の商品陳列用具１におけるケース２の正面図、図５は同ケース２の平面図、図６は同ケース２の底面図、図７は同ケース２の左側面図、図８は同ケース２の右側面図である。図９は特定の商品陳列用具１を斜め後ろ上方から見た斜視図、図１０は同商品陳列用具１を斜め後ろ下方から見た斜視図である。なお、前記図１０においては、上方に浮かせた状態のスライドサポーター４も想像線で示してある。図１１は、同商品陳列用具１を分解して示す斜視図である。図１２は、本実施形態に係る商品陳列用具１を透明棚板Ｔ上に複数個連結させて配置した状態を示す斜視図である。なお、同図においては、ケース２及びレール部材３の構造を見やすくするために、スライドサポーター４を上方に浮かせて描いてある。図１３は、本実施形態におけるレール部材３の断面形状を示す模式図である。なお、以上の各図においては、ポリアセタール製の部品であるレール部材３、ホイールベース４５及びホイール４７に、パターンを付してあり、透明なケース２及び押し板４３と区別してある。
【００３０】
以上説明した商品陳列用具１は、図１〜図３及び図１２に示すように、横方向に連結して透明棚板Ｔ上に載置して使用されるものであり、その作動を概説すれば次の通りである。まず、スライドサポーター４をケース２の後端付近まで後退させた状態で複数の商品（おにぎりＰ）を陳列空間Ｓに列状に収容する。このようにして陳列空間Ｓに収容されたおにぎりＰは、レール部材３上に載置され、前後方向にスライド移動可能な状態でケース２の前壁１５とスライドサポーター４との間に配される。さらに、スライドサポーター４の押し板４３上にも例えば２個のおにぎりＰが載置され、陳列される。
【００３１】
この状態から最も前側に位置するおにぎりＰを取り出すと、他のおにぎりＰが自重によりレール部材３に沿って前方にスライド可能となる。その際に、レール部材３上のおにぎりＰがスライドサポーター４の付勢力によりさらに前方に押圧されるため、残った他のおにぎりＰは円滑にレール部材３に沿って前方に移動し、前壁１５により係止されて停止する。
【００３２】
この実施形態では、スライドサポーター４上に複数のおにぎりＰを載置して、重りとして機能させているため、このスライドサポーター４の自重と重りとして機能するおにぎりＰの自重とにより当該スライドサポーター４に比較的大きな前進力が発現することになり、透明棚板Ｔの傾斜角度が比較的小さくても、レール部材３上の複数のおにぎりＰは円滑にスライド前進することになる。
【００３３】
以上の動作を繰り返しながら商品陳列用具１上のおにぎりＰは消費者により順次取り出され、最後のおにぎりＰがスライドサポーター４上から取り出された段階で終了となる。なお、終了後や終了前にスライドサポーター４を手動で後退させておにぎりＰを自在に補充することができる。
【００３４】
このような構成のものであれば、多数の商品であるおにぎりＰを取り出しやすい状態で陳列することができる。しかも、ケース２とレール部材３とを別体とし、レール部材３を前記ケース２に比べて滑りやすい材料により作っているので、レール部材３による滑動性能を最大限に発揮させた上でケース２の材質を自由に選定することができる。すなわち、この実施形態ではケース２を透明な材料により作っている上に、不透明なレール部材３が線状であって目立ちにくいため、透明棚板Ｔ上に本商品陳列用具１を配置しても前記透明棚板Ｔの特性を損ねることなく商品を陳列できる。
【００３５】
なお、ケースは、前記実施形態のものに限られず、例えば材質を他の透明材料に変更する等、種々変更が可能である。他の透明材料の例として、ポリスチレン、ポリプロピレン等が挙げられる。また、本発明の趣旨を逸脱しない範囲で、その一部を不透明にすることも可能である。さらに、陳列空間の下面を塞ぐ底壁と、陳列空間の一側面を塞ぐ側壁と、陳列空間の前面を塞ぐ前壁とを備える前記実施形態の構成に限らず、底壁の両側縁から対をなす側壁を一体に起立させて設ける態様を採用してもよく、また、底壁の一方又は双方の側縁及び前縁に、底壁と別体に形成した側壁及び前壁を取り付ける態様を採用してもよい。但し、底壁の一側縁から側壁を、また、底壁の前縁から前壁をそれぞれ一体に起立させて設ける前記実施形態の態様によれば、棚板上に本発明の商品陳列用具を複数個並列させた状態で設置するにあたって、部品点数を節減し、また、商品陳列用具を作るのに必要な材料を節約することもできる。さらに、前記実施形態のように側壁の少なくとも陳列空間に臨む面に、商品との摩擦を低減させるためのシボ加工等の表面処理がなされているものであれば、商品をより確実に前方に向けて滑らせることができるが、商品の形状及び材質によっては、商品が側壁に接しない、又は側壁の表面に特別な加工を施さなくとも商品を前方に向けて確実に滑らせることができる場合がある。この場合は、側壁の表面に加工を施す必要はない。
【００３６】
レール部材の形状も、前記実施形態のものに限られず、例えば図１４に示すようなものであってもよい。すなわち、図１４（ａ）〜（ｃ）に示すレール部材３は、先端すなわち頂面３ｂ側の丸みを種々異ならせたものであり、図１４（ｄ）に示すレール部材は、側面を傾斜させず先端（頂面３ｂ）のみに丸みを持たせたものである。その他、本発明の趣旨を損ねない範囲でその形状を種々変形させることができる。また、レール部材の材質も、前記実施形態のものに限られない。レール部材の材質の例として、フッ素系のものあるいはＰＯＭに代表される樹脂や、セラミックや、金属等が挙げられる。
【００３７】
スライドサポーターも、前記実施形態のものに限られず、例えば図１５及び図１６に示すようなものであってもよい。このスライドサポーター４は、前記実施形態のスライドサポーターに比べて前後寸法が小さく設定されており、押し板４３上に商品Ｐではなく専用の重りＷを搭載するようになっている。なお、前記実施形態におけるものに対応する部品には同一の名称及び符号を付して詳細な説明は省略する。
【００３８】
さらに、図１７〜図１９に示すような実施形態を採用してもよい。この実施形態に係るスライドサポーター４は、押し板４３の下面に左右に対をなすホイールベース４５を設け、これらのホイールベース４５に前後対をなすホイール４７をそれぞれ軸支させる態様のものである。なお、前記押し板４３は、図１〜図１３を参照しつつ前述した実施形態のスライドサポーター４におけるものと同様の構成を有する。ここで、前記ホイールベース４５は、図１〜図１３を参照しつつ前述した実施形態のスライドサポーター４におけるものと略同様の構成を有するが、離脱防止用突起５７は、両垂下壁５３の前後方向中間部分ではなく後端に設けられている。前記離脱防止用突起５７の垂下延出部分５７ａはそれぞれ斜め下方に伸びており、左右の水平鍔部分５７ｂは前記垂下延出部分５７ａの下端からそれぞれ相寄る方向に突設されている。また、この実施形態において、ケース２の中間リブ２７は、該ケース２の巾方向中央に１本だけ設けられている。そして、案内溝３１は、対をなすレール部材３の間の領域（中央領域）ではなく、対をなすレール部材３の外側に設けられている。なお、図１〜図１３を参照しつつ前述した実施形態におけるものに対応する部品には同一の名称及び符号を付して詳細な説明は省略する。また、図１７は、本実施形態に係る商品陳列用具１を透明棚板Ｔ上に複数個連結させて配置した状態を示す概略側面図であり、商品であるおにぎりＰは想像線で示してある。図１８は、図１７におけるＣ−Ｃ線に沿った要部断面図であり、商品であるおにぎりＰ及び前記透明棚板Ｔは想像線で示している。図１９は、本実施形態に係るスライドサポーター４の底面図である。
【００３９】
加えて、図２０〜図２１に示すような実施形態を採用してもよい。この実施形態に係るスライドサポーター４も、図１７〜図１９を参照しつつ前述した実施形態のスライドサポーター４におけるものと略同様の構成を有するが、押し板４３は図１５及び図１６に示したスライドサポーターと同様の寸法を備えている。このスライドサポーター４も、押し板４３上に商品Ｐではなく専用の重りＷを搭載するようになっている。なお、図１〜図１３を参照しつつ前述した実施形態におけるものに対応する部品には同一の名称及び符号を付して詳細な説明は省略する。また、図２０は、本実施形態に係る商品陳列用具１を透明棚板Ｔ上に複数個連結させて配置した状態を示す概略側面図であり、商品であるおにぎりＰは想像線で示してある。図２１は、本実施形態に係るスライドサポーター４の底面図である。
【００４０】
加えて、本発明の商品陳列用具は、前記実施形態に示したような透明棚板上に設置する態様に限らず、図２２に示すように、支柱ＰＰにブラケットＢ及び長手方向両端部を前記ブラケットＢに連結させた横架材ＢＢを介して支持させた棚板ＴＴ上に設置するようにしてもよい。ここで、棚板ＴＴ上に商品陳列用具１を取り付けるに際しては、商品陳列用具１の脱落を防ぐべく、前位置決め孔３３に棚板ＴＴの係止突起ＴＴ１を係合させるようにするとよい。なお、前記実施形態におけるものに対応する部品には同一の名称及び符号を付して詳細な説明は省略する。
【００４１】
その他、本発明の趣旨を損ねない範囲で種々に変更してよい。
【符号の説明】
【００４２】
１…商品陳列用具
２…ケース
３…レール部材
４…スライドサポーター
１１…底壁
１３…側壁
１５…前壁
３１…案内溝
３７…第１の連結部
３９…第２の連結部
Ｓ…陳列空間
【図１】
2019017481.tif 000003
【図２】
2019017481.tif 000004
【図３】
2019017481.tif 000005
【図４】
2019017481.tif 000006
【図５】
2019017481.tif 000007
【図６】
2019017481.tif 000008
【図７】
2019017481.tif 000009
【図８】
2019017481.tif 000010
【図９】
2019017481.tif 000011
【図１０】
2019017481.tif 000012
【図１１】
2019017481.tif 000013
【図１２】
2019017481.tif 000014
【図１３】
2019017481.tif 000015
【図１４】
2019017481.tif 000016
【図１５】
2019017481.tif 000017
【図１６】
2019017481.tif 000018
【図１７】
2019017481.tif 000019
【図１８】
2019017481.tif 000020
【図１９】
2019017481.tif 000021
【図２０】
2019017481.tif 000022
【図２１】
2019017481.tif 000023
【図２２】
2019017481.tif 000024